(57)【要約】【課題】移動端末によって送受される情報に適した無線リソースを割り当てることが可能な無線リソース割当方法、移動通信網及び移動端末を提供する。【解決手段】移動通信システム１００では、移動端末１３０−１〜１３０−ｍは、自端末が送受する情報の情報量に関する所定の情報を当該情報の伝送に先立って取得し、無線ネットワーク制御装置１１０へ通知する。無線ネットワーク制御装置１１０は、この所定の情報に応じて、当該移動端末１３０−１〜１３０−ｍによって送受される情報の伝送に用いられる無線リソースを割り当てる。【選択図】図１
2007060684.tif 000002
【特許請求の範囲】
【請求項１】
移動端末と移動通信網との間で通信が行われる移動通信システムにて、前記移動端末によって送受される情報の伝送に用いられる無線リソースを割り当てる無線リソース割当方法において、
前記移動端末によって送受される情報の情報量に関する所定の情報を当該情報の伝送に先立って取得し、
前記取得した所定の情報に基づいて、前記移動端末によって送受される情報の伝送に用いられる無線リソースを割り当てるようにした無線リソース割当方法。
【請求項２】
請求項１に記載の無線リソース割当方法において、
前記移動端末によって送受される情報の情報量に関する所定の情報は、当該移動端末によって送受される情報の情報量である無線リソース割当方法。
【請求項３】
請求項２に記載の無線リソース割当方法において、
前記移動端末によって送受される情報の先頭部に含まれる当該情報の情報量を取得するようにした無線リソース割当方法。
【請求項４】
請求項２に記載の無線リソース割当方法において、
前記移動端末によって送受される情報の情報量を取得するためのコマンドを発行し、
前記発行したコマンドに対する応答である前記移動端末によって送受される情報の情報量を取得するようにした無線リソース割当方法。
【請求項５】
請求項２に記載の無線リソース割当方法において、
前記移動端末によって送受される情報の情報量を測定し、
前記測定した情報量を、前記移動端末によって送受される情報の情報量として取得するようにした無線リソース割当方法。
【請求項６】
請求項１に記載の無線リソース割当方法において、
前記移動端末によって送受される情報の情報量に関する所定の情報は、当該移動端末によって送受される情報の種別である無線リソース割当方法。
【請求項７】
請求項６に記載の無線リソース割当方法において、
前記移動端末によって送受される情報の先頭部に含まれる当該情報の種別を取得するようにした無線リソース割当方法。
【請求項８】
請求項７に記載の無線リソース割当方法において、
前記取得した情報の種別に応じた無線リソースの利用効率と、任意の無線リソースの利用効率とを統計的に比較し、
前記利用効率の高い方の無線リソースを割り当てるようにした無線リソース割当方法。
【請求項９】
移動端末と移動通信網との間で通信が行われる移動通信システムにおいて、
前記移動端末は、
当該移動端末によって送受される情報の情報量に関する所定の情報を当該情報の伝送に先立って取得する情報取得手段と、
前記情報取得手段により取得された所定の情報を移動通信網へ通知する情報通知手段と、
を備え、
前記移動通信網は、
前記情報通知手段により通知される所定の情報に応じて、前記移動端末によって送受される情報の伝送に用いられる無線リソースを割り当てる無線リソース割当手段と、
を備える移動通信システム。
【請求項１０】
請求項９に記載の移動通信システムにおいて、
前記移動端末によって送受される情報の情報量に関する所定の情報は、当該移動端末によって送受される情報の情報量である移動通信システム。
【請求項１１】
請求項１０に記載の移動通信システムにおいて、
前記情報取得手段は、前記移動端末によって送受される情報の先頭部に含まれる当該情報の情報量を取得するようにした移動通信システム。
【請求項１２】
請求項１０に記載の移動通信システムにおいて、
前記情報取得手段は、
前記移動端末によって受信される情報の情報量を取得するためのコマンドを発行するコマンド発行手段を備え、
前記コマンド発行手段により発行されたコマンドに対する前記移動通信網からの応答である前記移動端末によって受信される情報の情報量を取得するようにした移動通信システム。
【請求項１３】
請求項１０に記載の移動通信システムにおいて、
前記情報取得手段は、
前記移動端末によって送信される情報の情報量を測定する情報量測定手段を備え、
前記情報量測定手段により測定された情報量を、前記移動端末によって送信される情報の情報量として取得するようにした移動通信システム。
【請求項１４】
請求項９に記載の移動通信システムにおいて、
前記移動端末によって送受される情報の情報量に関する所定の情報は、当該移動端末によって送受される情報の種別である移動通信システム。
【請求項１５】
請求項１４に記載の移動通信システムにおいて、
前記情報取得手段は、
前記移動端末によって送受される情報の先頭部に含まれる当該情報の種別を取得するようにした移動通信システム。
【請求項１６】
請求項１５に記載の移動通信システムにおいて、
前記無線リソース割当手段は、
前記情報取得手段により取得された情報の種別に応じた無線リソースの利用効率と、任意の無線リソースの利用効率とを統計的に比較する利用効率比較手段を備え、
前記利用効率の高い方の無線リソースを割り当てるようにした移動通信システム。
【請求項１７】
移動通信網との間で通信を行う移動端末において、
当該移動端末によって送受される情報の情報量に関する所定の情報を当該情報の伝送に先立って取得する情報取得手段と、
前記情報取得手段により取得された所定の情報を前記移動通信網へ通知する情報通知手段と、
を備え、前記移動通信網において、前記情報通知手段により通知される所定の情報に応じて、前記移動端末によって送受される情報の伝送に用いられる無線リソースが割り当てられるようにした移動端末。
【請求項１８】
請求項１７に記載の移動端末において、
前記移動端末によって送受される情報の情報量に関する所定の情報は、当該移動端末によって送受される情報の情報量である移動端末。
【請求項１９】
請求項１８に記載の移動端末において、
前記情報取得手段は、前記移動端末によって送受される情報の先頭部に含まれる当該情報の情報量を取得するようにした移動端末。
【請求項２０】
請求項１８に記載の移動端末において、
前記情報取得手段は、
前記移動端末によって受信される情報の情報量を取得するためのコマンドを発行するコマンド発行手段を備え、
前記コマンド発行手段により発行されたコマンドに対する前記移動通信網からの応答である前記移動端末によって受信される情報の情報量を取得するようにした移動端末。
【請求項２１】
請求項１８に記載の移動端末において、
前記情報取得手段は、
前記移動端末によって送信される情報の情報量を測定する情報量測定手段を備え、
前記情報量測定手段により測定された情報量を、前記移動端末によって送信される情報の情報量として取得するようにした移動端末。
【請求項２２】
請求項１７に記載の移動端末において、
前記移動端末によって送受される情報の情報量に関する所定の情報は、当該移動端末によって送受される情報の種別である移動端末。
【請求項２３】
請求項２２に記載の移動端末において、
前記情報取得手段は、
前記移動端末によって送受される情報の先頭部に含まれる当該情報の種別を取得するようにした移動端末。
【請求項２４】
移動端末との間で通信を行う移動通信網において、
前記移動端末によって送受される情報の情報量に関する所定の情報を当該情報の伝送に先立って取得する情報取得手段と、
前記情報取得手段により取得された所定の情報に応じて、前記移動端末によって送受される情報の伝送に用いられる無線リソースを割り当てる無線リソース割当手段と、
を備える移動通信網。
【請求項２５】
請求項２４に記載の移動通信網において、
前記移動端末によって送受される情報の情報量に関する所定の情報は、当該移動端末によって送受される情報の情報量である移動通信網。
【請求項２６】
請求項２５に記載の移動通信網において、
前記情報取得手段は、前記移動端末によって送受される情報の先頭部に含まれる当該情報の情報量を取得するようにした移動通信網。
【請求項２７】
請求項２５に記載の移動通信網において、
前記情報取得手段は、
前記移動端末によって受信される情報の情報量を取得するためのコマンドを発行するコマンド発行手段を備え、
前記コマンド発行手段により発行されたコマンドに対する前記移動端末からの応答である当該移動端末によって送信される情報の情報量を取得するようにした移動通信網。
【請求項２８】
請求項２５に記載の移動通信網において、
前記情報取得手段は、
前記移動端末によって受信される情報の情報量を測定する情報量測定手段を備え、
前記情報量測定手段により測定された情報量を、前記移動端末によって受信される情報の情報量として取得するようにした移動通信網。
【請求項２９】
請求項２４に記載の移動通信網において、
前記移動端末によって送受される情報の情報量に関する所定の情報は、当該移動端末によって送受される情報の種別である移動通信網。
【請求項３０】
請求項２９に記載の移動通信網において、
前記情報取得手段は、前記移動端末によって送受される情報の先頭部に含まれる当該情報の種別を取得するようにした移動通信網。
【請求項３１】
請求項３０に記載の移動通信網において、
前記無線リソース割当手段は、
前記情報取得手段により取得された情報の種別に応じた無線リソースの利用効率と、任意の無線リソースの利用効率とを統計的に比較する利用効率比較手段を備え、
前記利用効率の高い方の無線リソースを割り当てるようにした移動通信網。
【発明の詳細な説明】
【技術分野】
【０００１】
本発明は、移動端末と移動通信網との間で通信が行われる移動通信システムにて、前記移動端末によって送受される情報の伝送に用いられる無線リソースを割り当てる無線リソース割当方法と、当該無線リソース割当方法が適用される移動通信システム、移動端末及び移動通信網に関する。
【背景技術】
【０００２】
近年、移動通信システムでは、音声のみならず、文字情報や画像等の要求される伝送密度の異なる様々な情報が伝送されている。このため、移動通信システムとして、伝送密度を動的に設定することが可能な可変伝送密度通信システムが採用されることがある。この可変伝送密度通信システムは、移動端末によって送受される情報のトラヒック流量を測定し、その測定したトラヒック流量に応じた無線リソースを動的に割り当てる。
【発明の開示】
【発明が解決しようとする課題】
【０００３】
しかしながら、トラヒック流量の測定結果は、あくまでも過去に移動端末によって送受された情報のトラヒック流量である。従って、必ずしも割り当てられた無線リソースがその後の情報伝送において適しているとは限らない。特に、トラヒック流量が激しく変化する情報が伝送される場合には、過去のトラヒック流量に基づいて割り当てられた無線リソースがその後の情報伝送に適していないことが多い。
【０００４】
このように適切な無線リソースが割り当てられなかった場合には、伝送密度が過剰であるために無線リソースに無駄が生じたり、反対に伝送密度が不足しているために伝送遅延が生じる。このような場合、トラヒック流量の測定間隔や無線リソースの割当間隔を短くすることにより、できるだけ最適な無線リソースが割り当てられるようにすることが可能であるが、トラヒック流量の測定処理や無線リソースの割当処理が頻繁に行われるため、システム全体の負荷が増大してしまうため、好ましい方法ではない。
【０００５】
本発明は、上記問題点を解決するものであり、その目的は、移動端末によって送受される情報に適した無線リソースを割り当てることが可能な無線リソース割当方法、移動通信網及び移動端末を提供することにある。
【課題を解決するための手段】
【０００６】
上記の目的を達成するため、本発明は請求項１に記載されるように、移動端末と移動通信網との間で通信が行われる移動通信システムにて、前記移動端末によって送受される情報の伝送に用いられる無線リソースを割り当てる無線リソース割当方法において、前記移動端末によって送受される情報の情報量に関する所定の情報を当該情報の伝送に先立って取得し、前記取得した所定の情報に基づいて、前記移動端末によって送受される情報の伝送に用いられる無線リソースを割り当てるようにした。
【０００７】
このような無線リソース割当方法では、移動端末によって送受される情報の情報量に関する所定の情報を当該情報の伝送に先立って取得し、その取得した所定の情報に応じて、移動端末によって送受される情報の伝送に用いられる無線リソースが割り当てており、伝送される情報に適した無線リソースを割り当てることが可能になる。
【０００８】
また、本発明は請求項２に記載されるように、前記無線リソース割当方法において、前記移動端末によって送受される情報の情報量に関する所定の情報は、当該移動端末によって送受される情報の情報量とした。
【０００９】
また、本発明は請求項３に記載されるように、前記無線リソース割当方法において、前記移動端末によって送受される情報の先頭部に含まれる当該情報の情報量を取得するようにした。移動端末によって送受される情報の情報量が当該情報の先頭部に含まれる場合には、このような方法を採用することにより、情報量を取得することができる。
【００１０】
また、本発明は請求項４に記載されるように、前記無線リソース割当方法において、前記移動端末によって送受される情報の情報量を取得するためのコマンドを発行し、前記発行したコマンドに対する応答である前記移動端末によって送受される情報の情報量を取得するようにした。
【００１１】
移動端末によって送受される情報の情報量を取得するためのコマンドが存在する場合には、このような方法を採用することにより、情報量を取得することができる。
【００１２】
また、本発明は請求項５に記載されるように、前記無線リソース割当方法において、前記移動端末によって送受される情報の情報量を測定し、前記測定した情報量を、前記移動端末によって送受される情報の情報量として取得するようにした。
【００１３】
送信元においては、移動端末によって送信あるいは受信される情報の情報量を測定することが可能であるため、このような方法を採用することにより、情報量を取得することができる。
【００１４】
また、本発明は請求項６に記載されるように、前記無線リソース割当方法において、前記移動端末によって送受される情報の情報量に関する所定の情報は、当該移動端末によって送受される情報の種別とした。
【００１５】
移動端末によって送受される情報の情報量は、当該情報の種別によりある程度推定可能であるため、情報の種別に応じて、無線リソースを割り当てることによっても、伝送される情報に適した無線リソースを割り当てることが可能になる。
【００１６】
また、本発明は請求項７に記載されるように、前記無線リソース割当方法において、前記移動端末によって送受される情報の先頭部に含まれる当該情報の種別を取得するようにした。
【００１７】
移動端末によって送受される情報の種別が当該情報の先頭部に含まれる場合には、このような方法を採用することにより、情報の種別を取得することができる。
【００１８】
また、本発明は請求項８に記載されるように、前記無線リソース割当方法において、前記取得した情報の種別に応じた無線リソースの利用効率と、任意の無線リソースの利用効率とを統計的に比較し、前記利用効率の高い方の無線リソースを割り当てるようにした。
【００１９】
情報の種別と情報量は、必ずしも関連しない場合があり、このような場合には、情報の種別に応じた無線リソースは、当該情報の伝送に適さないことになる。このため、取得した情報の種別に応じた無線リソースの利用効率と、任意の無線リソースの利用効率とを統計的に比較し、任意の無線リソースの方が利用効率の高い場合には、当該任意の無線リソースを割り当てるようにすることにより、適切に無線リソースを割り当てることが可能となる。
【００２０】
また、請求項９乃至１６に記載された発明は、上述した無線リソース割当方法に適した移動通信システムである。また、請求項１７乃至２３に記載された発明は、上述した無線リソース割当方法に適した移動端末であり、請求項２４乃至３１に記載された発明は、上述した無線リソース割当方法に適した移動通信網である。
【発明の効果】
【００２１】
上述の如く、本願発明の実施例では、移動端末によって送受される情報の情報量に関する所定の情報を当該情報の伝送に先立って取得し、その取得した所定の情報に応じて、移動端末によって送受される情報の伝送に用いられる無線リソースが割り当てており、伝送される情報に適した無線リソースを割り当てることが可能になる。
【発明を実施するための最良の形態】
【００２２】
以下、本発明の実施の形態を図面に基づいて説明する。図１は、本発明の実施の形態に係る無線チャネル割当方法が適用される移動通信システムの構成例を示す図である。
【００２３】
同図に示す移動通信システム１００は、無線ネットワーク制御装置（ＲＮＣ）１１０、複数の基地局１２０−１〜１２０−ｎ、これら各基地局１２０−１〜１２０−ｎによって構成される無線ゾーンの何れかに位置する移動端末１３０−１〜１３０−ｍにより構成される。これらのうち、無線ネットワーク制御装置１１０と基地局１２０−１〜１２０−ｎとにより移動通信網が構成される。
【００２４】
この移動通信システム１００では、移動端末１３０−１〜１３０−ｍによって送受される情報（移動通信網から移動端末１３０−１〜１３０−ｍへ送られる情報及び移動端末１３０−１〜１３０−ｍから移動通信網へ送られる情報）の情報量に関する所定の情報を当該情報の伝送に先立って取得し、この取得した所定の情報に応じて、当該移動端末１３０−１〜１３０−ｍによって送受される情報の伝送に用いられる無線リソースを割り当てる。
【００２５】
ここで、無線リソースとは、広義な意味での無線リソースを示す。例えば、Ｗ−ＣＤＭＡ（Wideband Code Division Multiple Access）方式が採用される移動通信システムでは、１台の移動端末によって占有される物理チャネル（ＤＰＣＨ）や複数台の移動端末によって共有される物理チャネル（Ｓ−ＣＣＰＣＨ）等の伝送形式の異なる各種物理チャネル、帯域幅（Spreading Factor）、伝送対象の情報に冗長データを付加して伝送エラーに対する耐性を向上させるＦＥＣ方式における当該エラー耐性、ＦＥＣ方式における伝送効率に関係する値であるＰｕｎｃｔｕｒｅ  ｌｉｍｉｔ値、所定の送信電力における目標とする伝送エラー率であるターゲットエラーレート値、移動通信網内における無線ネットワーク制御装置と基地局との間の伝送路の帯域幅やＱｏＳ、送信電力値、送信電力値を決定するアルゴリズムであるパワーコントロールアルゴリズム等が無線リソースとなる。
【００２６】
以下、移動端末１３０−１〜１３０−ｍが当該移動端末１３０−１〜１３０−ｍによって送受される情報に関する所定の情報を当該情報の伝送に先立って取得する第１実施例と、無線ネットワーク制御装置１１０が移動端末１３０−１〜１３０−ｍによって送受される情報に関する所定の情報を当該情報の伝送に先立って取得する第２実施例について説明する。
【００２７】
第１実施例においては、移動端末１３０−１〜１３０−ｍは、自端末が送受する情報に関する所定の情報（情報量そのものあるいは情報の種別）を当該情報の伝送に先立って取得する。
【００２８】
具体的には、第１の取得方法においては、移動端末１３０−１〜１３０−ｍは、自端末が送受する情報の先頭部に含まれる当該情報の情報量を取得する。例えば、移動端末１３０−１〜１３０−ｍは、自端末が移動通信網へ送信する情報がＨＴＭＬドキュメントである場合には、当該ＨＴＭＬドキュメントの先頭部に記述された情報量を取得する。また、移動端末１３０−１〜１３０−ｍは、自端末が移動通信網から受信する情報がＨＴＭＬドキュメントである場合には、当該ＨＴＭＬドキュメントの先頭部を受信した時点で、当該先頭部に記述された情報量を取得する。
【００２９】
また、第２の取得方法においては、移動端末１３０−１〜１３０−ｍは、自端末が受信する情報の情報量を取得するためのコマンドを発行する。例えば、ｈｔｔｐプロトコルやｆｔｐプロトコルには、サーバからクライアントへダウンロードされるファイルのサイズを通知する機能がある。移動端末１３０−１〜１３０−ｍは、この機能を利用して、例えばｆｔｐプロトコルのＬＩＳＴコマンドを無線ネットワーク制御装置１１０に対して発行する。無線ネットワーク制御装置１１０は、このＬＩＳＴコマンドに対する応答として当該無線ネットワーク制御装置１１０から移動端末１３０−１〜１３０−ｍへ送信する情報、即ち移動端末１３０−１〜１３０−ｍによって受信される情報のファイルサイズを移動端末１３０−１〜１３０−ｍへ通知する。移動端末１３０−１〜１３０−ｍは、このファイルサイズを受信する情報の情報量として取得する。
【００３０】
また、第３の取得方法においては、移動端末１３０−１〜１３０−ｍは、自端末が送信する情報の情報量を測定し、この測定した情報量を、送信する情報の情報量として取得する。
【００３１】
移動端末１３０−１〜１３０−ｍは、これら第１〜第３の方法により、自端末が送受する情報の情報量を当該情報の伝送に先立って取得すると、この取得した情報量を基地局１２０−１〜１２０−ｎを介して無線ネットワーク制御装置１１０へ通知する。
【００３２】
無線ネットワーク制御装置１１０は、通知された情報量に基づいて、移動端末１３０−１〜１３０−ｍによって送受される情報を伝送するために最適な無線リソースを割り当てる。
【００３３】
一方、第４の取得方法においては、移動端末１３０−１〜１３０−ｍは、自端末が送受する情報のヘッダに含まれる当該情報の種別を取得する。例えば、ＩＰパケットのヘッダ（ＩＰヘッダ）内のＴｙｐｅ  ｏｆ  ｓｅｒｖｉｃｅフィールドは、８ビットのビット長を有しているが、このうち３ビットが未使用である。そこで、移動通信システム１００において、この未使用の３ビットに８種類の情報の種別を割り当てることを予め約束しておく。例えば、０の場合はテキストデータ等のその他のデータ、１の場合は電子メールのデータ、２の場合は音楽データ、３の場合はウェブ閲覧のデータ、４の場合は６４kbpsの動画像データ、５の場合は１２８kbpsの動画像データ、６の場合は３８２kbpsの動画像データ、７の場合はチャットのデータというように割り当てられる。
【００３４】
このＴｙｐｅ  ｏｆ  ｓｅｒｖｉｃｅフィールド内の情報の種別は、例えば、移動端末１３０−１〜１３０−ｍによって受信される情報については、無線ネットワーク制御装置１１０により割り当てられ、移動端末１３０−１〜１３０−ｍによって送信される情報については、当該移動端末１３０−１〜１３０−ｍにより割り当てられる。
【００３５】
あるいは、ＵＤＰヘッダやＴＣＰヘッダ内のポート番号により情報の種別を識別可能であることを利用し、移動端末１３０−１〜１３０−ｍは、ＵＤＰヘッダやＴＣＰヘッダ内の発ポート番号により、自端末が送信する情報の種別を取得することができ、また、ＵＤＰヘッダやＴＣＰヘッダ内の宛ポート番号により、自端末が受信する情報の種別を取得することができる。
【００３６】
また、情報の送信元あるいは受信先のサーバが扱う情報の種別を予め認識している場合には、移動端末１３０−１〜１３０−ｍは、ＩＰヘッダ内の宛アドレスを認識し、当該宛アドレスで特定されるサーバが扱う情報の種別を、自端末が送信する情報の種別として取得することができ、また、ＩＰヘッダ内の発アドレスを認識し、当該発アドレスで特定されるサーバが扱う情報の種別を、自端末が受信する情報の種別として取得することができる。
【００３７】
これらの方法により情報の種別を取得すると、次に移動端末１３０−１〜１３０−ｍは、この情報の種別を基地局１２０−１〜１２０−ｎを介して無線ネットワーク制御装置１１０へ通知する。
【００３８】
無線ネットワーク制御装置１１０は、移動端末１３０−１〜１３０−ｍによって送受される情報の情報量が当該情報の種別によりある程度推定可能であることを利用し、通知された情報の種別に基づいて、移動端末１３０−１〜１３０−ｍによって送受される情報を伝送するために最適な無線リソースを割り当てる。
【００３９】
図２は、無線ネットワーク制御装置１１０において情報の種別に基づいて無線リソースを割り当てる処理の一例を示すフローチャートであり、移動端末１３０−１〜１３０−ｍからＴｙｐｅ  ｏｆ  ｓｅｒｖｉｃｅフィールド内の情報の種別が通知される場合の例である。
【００４０】
無線ネットワーク制御装置１１０は、移動端末１３０−１〜１３０−ｍから通知されるＴｙｐｅ  ｏｆ  ｓｅｒｖｉｃｅフィールド内の情報の種別（以下、「ＴｏＳ値」と称する）を取得し（ステップ１０１）、ＴｏＳテーブルを更新する（ステップ１０２）。
【００４１】
図３は、ＴｏＳテーブルの一例を示す図である。このＴｏＳテーブルは、各ＴｏＳ値の取得の有無についての情報を示すものである。同図は、０、１、６、７のＴｏＳ値が移動端末１３０−１〜１３０−ｍから通知された場合の例であり、０、１、６、７のＴｏＳ値については取得の有無が「ＹＥＳ」、即ち当該ＴｏＳ値を取得したことを示し、２、３、４、５のＴｏＳ値については取得の有無が「ＮＯ」、即ち当該ＴｏＳ値を取得していないことを示している。
【００４２】
ＴｏＳテーブルの更新後、次に無線ネットワーク制御装置１１０は、移動端末１３０−１〜１３０−ｍから通知されるＴｏＳ値の取得を開始してから所定時間経過したか否かを判定する（ステップ１０３）。所定時間経過していない場合には、無線ネットワーク制御装置１１０は、ＴｏＳ値の取得（ステップ１０１）及びＴｏＳテーブルの更新（ステップ１０２）の処理を継続する。即ち、ＴｏＳ値の取得（ステップ１０１）及びＴｏＳテーブルの更新（ステップ１０２）の処理がＴｏＳ値の取得を開始してから所定時間継続して行われることになる。
【００４３】
一方、ＴｏＳ値の取得を開始してから所定時間経過した場合には、無線ネットワーク制御装置１１０は、ＴｏＳテーブルと無線リソース選択テーブルとに基づいて、無線リソースを選択する（ステップ１０４）。
【００４４】
図４は、無線リソース選択テーブルの一例を示す図である。同図に示すように、無線リソース選択テーブルは、各ＴｏＳ値と帯域、品質及び許容遅延によって特定される無線リソースとが対応付けられている。無線ネットワーク制御装置１１０は、ＴｏＳテーブルに基づいて、取得したＴｏＳ値を特定し、無線リソース選択テーブルに基づいて、この特定したＴｏＳ値に対応する無線リソースを選択する。
【００４５】
なお、無線ネットワーク制御装置１１０は、複数のＴｏＳ値を取得している場合には、これら全てのＴｏＳ値に対応する情報を伝送するために必要な無線リソースを選択する。
【００４６】
このようにして無線リソースを選択した後、無線ネットワーク制御装置１１０は、選択した無線リソースが現在割り当てられている無線リソースと同一であるか否かを判定する（ステップ１０５）。選択した無線リソースが現在割り当てられている無線リソースと同一でない場合には、無線ネットワーク制御装置１１０は、ステップ１０４において選択した無線リソースを割り当てる処理を行う（ステップ１０６）。その後、無線ネットワーク制御装置１１０は、ＴｏＳテーブルを初期化する、即ちＴｏＳテーブルのＴｏＳ値の取得の有無を全て「ＮＯ」とし（ステップ１０７）、ＴｏＳ値の取得（ステップ１０１）以降の処理を繰り返す。
【００４７】
一方、選択した無線リソースと現在割り当てられている無線リソースと同一である場合には、改めて無線リソースを割り当てる必要がないため、無線ネットワーク制御装置１１０は、選択した無線リソースを割り当てる処理を行わずに、ＴｏＳテーブルを初期化し（ステップ１０７）、ＴｏＳ値の取得（ステップ１０１）以降の処理を繰り返す。
【００４８】
なお、情報の種別と情報量は、必ずしも関連しない場合があり、このような場合には、情報の種別に応じた無線リソースは、当該情報の伝送に適さないことになる。このため、無線ネットワーク制御装置１１０は、各無線リソースについて、過去の統計的な利用効率を求めておく。そして、無線ネットワーク制御装置１１０は、取得した情報の種別に応じた無線リソース及び任意の無線リソースについての過去の統計的な利用効率を比較し、任意の無線リソースの方が利用効率の高い場合には、当該任意の無線リソースを割り当てるようにすることもできる。
【００４９】
次に第２実施例について説明する。第２実施例においては、無線ネットワーク制御装置１１０は、移動端末１３０−１〜１３０−ｍによって送受される情報に関する所定の情報を当該情報の伝送に先立って取得する。
【００５０】
具体的には、無線ネットワーク制御装置１１０は、第１実施例における第１〜第４の取得方法と同等の方法により、移動端末１３０−１〜１３０−ｍによって送受される情報に関する所定の情報を取得する。
【００５１】
即ち、無線ネットワーク制御装置１１０は、移動端末１３０−１〜１３０−ｍによって送受される情報の先頭部に含まれる当該情報の情報量を取得する。例えば、無線ネットワーク制御装置１１０は、移動端末１３０−１〜１３０−ｍによって送信される情報がＨＴＭＬドキュメントである場合には、当該ＨＴＭＬドキュメントの先頭部を受信した時点で、当該先頭部に記述された情報量を取得する。また、無線ネットワーク制御装置１１０は、移動端末１３０−１〜１３０−ｍによって受信される情報、即ち自装置が送信する情報がＨＴＭＬドキュメントである場合には、当該ＨＴＭＬドキュメントの先頭部に記述された情報量を取得する。
【００５２】
また、無線ネットワーク制御装置１１０は、移動端末１３０−１〜１３０−ｍによって送信される情報の情報量を取得するためのコマンドを発行する。移動端末１３０−１〜１３０−ｍは、コマンドに対する応答として当該移動端末１３０−１〜１３０−ｍによって送信される情報の情報量を無線ネットワーク制御装置１１０へ通知する。無線ネットワーク制御装置１１０は、この情報量を移動端末１３０−１〜１３０−ｍによって送信される情報の情報量として取得する。
【００５３】
また、無線ネットワーク制御装置１１０は、自装置が送信する情報の情報量を測定し、この測定した情報量を、移動端末１３０−１〜１３０−ｍによって受信される情報の情報量として取得する。
【００５４】
無線ネットワーク制御装置１１０は、これらの方法により、移動端末１３０−１〜１３０−ｍによって送受される情報の情報量を当該情報の伝送に先立って取得すると、この取得した情報量に基づいて、移動端末１３０−１〜１３０−ｍによって送受される情報を伝送するために最適な無線リソースを割り当てる。
【００５５】
あるいは、無線ネットワーク制御装置１１０は、移動端末１３０−１〜１３０−ｍによって送受される情報のヘッダに含まれる当該情報の種別を取得する。例えば、第１実施例と同様、ＩＰパケットのヘッダ（ＩＰヘッダ）内のＴｙｐｅ  ｏｆ  ｓｅｒｖｉｃｅフィールドのうち未使用の３ビットに、８種類の情報の種別を割り当てることを予め約束しておく。
【００５６】
このＴｙｐｅ  ｏｆ  ｓｅｒｖｉｃｅフィールド内の情報の種別は、例えば、移動端末１３０−１〜１３０−ｍによって受信される情報については、無線ネットワーク制御装置１１０により割り当てられ、移動端末１３０−１〜１３０−ｍによって送信される情報については、当該移動端末１３０−１〜１３０−ｍにより割り当てられる。
【００５７】
あるいは、無線ネットワーク制御装置１１０は、第１実施例と同様、ＵＤＰヘッダやＴＣＰヘッダ内のポート番号、ＩＰヘッダ内の発・宛アドレスに基づいて、情報の種別を取得することができる。
【００５８】
これらの方法により情報の種別を取得すると、次に無線ネットワーク制御装置１１０は、この情報の種別に基づいて、移動端末１３０−１〜１３０−ｍによって送受される情報を伝送するために最適な無線リソースを割り当てる。
【００５９】
例えば、Ｔｙｐｅ  ｏｆ  ｓｅｒｖｉｃｅフィールド内の情報の種別を取得した場合の無線リソースの割当処理は、第１実施例における図２のフローチャートの処理とほぼ同様である。但し、無線ネットワーク制御装置１１０は、図２のステップ１０１のように、移動端末１３０−１〜１３０−ｍから通知される情報の種別を取得するのではなく、上述した各種の方法により情報の種別を取得する。
【００６０】
なお、情報の種別と情報量とが関連していないために、情報の種別に応じた無線リソースが当該情報の伝送に適さない場合には、第１実施例と同様、無線ネットワーク制御装置１１０は、各無線リソースについて、過去の統計的な利用効率を求めておく。そして、無線ネットワーク制御装置１１０は、取得した情報の種別に応じた無線リソース及び任意の無線リソースについての過去の統計的な利用効率を比較し、任意の無線リソースの方が利用効率の高い場合には、当該任意の無線リソースを割り当てるようにすることもできる。
【００６１】
このように、本実施形態の移動通信システム１００では、移動端末１３０−１〜１３０−ｍによって送受される情報の情報量に関する所定の情報（情報量そのものや情報の種別）を当該情報の伝送に先立って取得し、この取得した所定の情報に応じて、当該移動端末１３０−１〜１３０−ｍによって送受される情報の伝送に用いられる無線リソースを割り当てる。このため、伝送される情報に適した無線リソースを割り当てることが可能になる。
【図面の簡単な説明】
【００６２】
【図１】移動通信システムの構成例を示す図である。
【図２】情報の種別に基づいて無線リソースを割り当てる処理の一例を示すフローチャートである。
【図３】ＴｏＳテーブルの一例を示す図である。
【図４】無線リソース選択テーブルの一例を示す図である。
【符号の説明】
【００６３】
１００  移動通信システム
１１０  無線ネットワーク制御装置（ＲＮＣ）
１２０−１〜１２０−ｎ  基地局
１３０−１〜１３０−ｍ  移動端末
【図１】
2007060684.tif 000003
【図２】
2007060684.tif 000004
【図３】
2007060684.tif 000005
【図４】
2007060684.tif 000006